(57)【要約】【課題】アークガスが外部配線に与える影響を抑制することができる回路遮断器を提供する。【解決手段】回路遮断器１０は、電路を構成する外部配線を固定するねじ３４が螺合される螺合入口部３１０が形成された第１側面３０１及び固定接点３２が形成された第２側面３０２を有する固定接触子３０と、固定接点３２と接触及び離隔することにより、電路の導通及び遮断を切り替える可動接点５１を一端に有する可動接触子５０と、を備え、第１側面３０１と第２側面３０２とが固定接触子３０の本体部３０３を挟んで反対側に位置するように設けられている。【選択図】図１
2020113412.tif 000002
【特許請求の範囲】
【請求項１】
回路遮断器であって、
電路を構成する外部配線を固定するねじが螺合される螺合入口部が形成された第１側面及び固定接点が形成された第２側面を有する固定接触子と、
前記固定接点と接触及び離隔することにより、前記電路の導通及び遮断を切り替える可動接点を一端に有する可動接触子と、を備え、
前記第１側面と前記第２側面とが前記固定接触子の本体部を挟んで反対側に位置するように設けられている、回路遮断器。
【請求項２】
請求項１に記載の回路遮断器であって、
前記固定接点と前記可動接点とが接触した状態において、前記可動接触子は、前記一端から他端にかけて前記固定接触子の前記本体部とは反対側に延びるように配置されている、回路遮断器。
【請求項３】
請求項１又は２に記載の回路遮断器であって、
前記本体部は、前記螺合入口部が形成された箇所から前記固定接点が形成された箇所にかけて同一平面に沿うように形成されている、回路遮断器。
【請求項４】
請求項１から３のいずれか一項に記載の回路遮断器であって、
更に、前記固定接触子及び前記可動接触子が収容されるハウジングを備え、
前記ハウジングには、前記固定接点が設けられた箇所に繋がる排気通路及び前記排気通路が外部に連通する排気口が設けられている、回路遮断器。
【請求項５】
請求項４に記載の回路遮断器であって、
前記排気通路は、前記本体部が延びる方向に沿うように設けられている、回路遮断器。
【発明の詳細な説明】
【技術分野】
【０００１】
本開示は、回路遮断器に関する。
【背景技術】
【０００２】
従来、安全性確保のため、電源と負荷との間の導通を遮断する回路遮断器がある。例えば、下記特許文献１には、電路上に設けられた固定接点と可動接点とを接触及び離隔させることにより、当該電路の導通及び遮断を切り替える回路遮断器が開示されている。
【先行技術文献】
【特許文献】
【０００３】
【特許文献１】特開２０００−２４３２０７号公報
【発明の概要】
【発明が解決しようとする課題】
【０００４】
漏電等によって電路に短絡電流が流れた場合、回路遮断器は接点間の導通を遮断するために、固定接点と可動接点とを引き離すように動作する。これらの両接点が引き離される際に、固定接点と可動接点との間の空気がアーク放電を行う。以下本明細書では、アーク放電を行っている気体をアークガスと呼ぶ。アークガスは、高温高圧のプラズマ状態であるので、両接点間から放射状に放出されると、回路遮断器内及び回路遮断器の外部に対して大きな熱量を与える。
【０００５】
特許文献１に開示された固定接触子は、外部配線が固定されるねじの入口部と固定接点とが同じ側に配置されている。従って、消弧装置において十分に消弧しきれなかったアークガスが、固定接点から固定接触子に沿って外部配線の側に排出され、外部配線に影響を及ぼすおそれがある。
【０００６】
本開示は、こうした実情に鑑みてなされたものであり、その目的は、アークガスが外部配線に与える影響を抑制することができる回路遮断器を提供することにある。
【課題を解決するための手段】
【０００７】
上記課題を解決するために、回路遮断器は、電路を構成する外部配線を固定するねじが螺合される螺合入口部が形成された第１側面及び固定接点が形成された第２側面を有する固定接触子と、固定接点と接触及び離隔することにより、電路の導通及び遮断を切り替える可動接点を一端に有する可動接触子と、を備え、第１側面と第２側面とが固定接触子の本体部を挟んで反対側に位置するように設けられている。
【０００８】
本開示では、本体部を挟んで第１側面と第２側面とが反対側に位置するので、第２側面に形成された固定接点から可動接点が離れる際に発生するアークガスが第１側面側に向かわないようにすることができる。第1側面には螺合入口部が形成されており、外部配線を固定するねじが螺合されるので、アークガスを第１側面側に向かわないようにすることで、アークガスが外部配線に及ぼす影響を低減することができる。固定接触子の形状を単純なものとしつつアークガスの外部配線への影響を低減することができる。
【０００９】
本開示において、固定接点と可動接点とが接触した状態において、可動接触子は、一端から他端にかけて固定接触子の本体部とは反対側に延びるように配置されていてもよい。
【００１０】
この好ましい態様によれば、可動接点が固定接点から離れる際に、可動接触子が、固定接触子の本体部とは反対側に延びた端部である他端を回動中心として回動する。この回動動作によって、可動接触子が固定接触子の第２側面側であって外部配線が固定される側に向かって開口するので、第１側面側に繋がる外部配線に与える影響を低減しつつ、アークガスをハウジングの外部に排気しやすくなる。
【００１１】
本開示において、本体部は、螺合入口部が形成された箇所から固定接点が形成された箇所にかけて同一平面に沿うように形成されていてもよい。
【００１２】
この好ましい態様によれば、本体部を平面的に形成することで、固定接触子の形状をより単純なものとしつつアークガスの外部配線への影響を低減することができる。
【００１３】
本開示において、回路遮断器は、更に、固定接触子及び可動接触子が収容されるハウジングを備え、ハウジングには、固定接点が設けられた箇所に繋がる排気通路及び排気通路が外部に連通する排気口が設けられていてもよい。
【００１４】
この好ましい態様によれば、外部配線が第１側面側に接続されるので、排気通路とは本体部を挟んで反対側に位置することになり、固定接点において発生し排気通路を通るアークガスの影響を受けにくくなる。排気通路及び排気口を設けているので、アークガスを円滑に排出することができる。
【００１５】
本開示において、排気通路は、本体部が延びる方向に沿うように設けられていてもよい。
【００１６】
この好ましい態様によれば、排気通路を流れるアークガスが、本体部が延びる方向に沿って流れるので、外部配線に影響を与えずにより円滑にアークガスを排出することができる。
【発明の効果】
【００１７】
本開示によれば、アークガスが外部配線に与える影響を抑制することができる回路遮断器を提供することができる。
【図面の簡単な説明】
【００１８】
【図１】図１は、本開示の実施形態に係る回路遮断器の部分的な断面を示す部分断面図である。
【図２】図２は、図１に示される固定接触子の側面図である。
【発明を実施するための形態】
【００１９】
以下、添付図面を参照しながら本実施形態について説明する。説明の理解を容易にするため、各図面において同一の構成要素に対しては可能な限り同一の符号を付して、重複する説明は省略する。
【００２０】
図１は、本開示の実施形態に係る回路遮断器の構造を説明するための図であって、部分的に断面を示す部分断面図である。図２は、図１に示される固定接触子の側面図である。回路遮断器１０は、例えば電源と負荷との間を接続する電路上に設けられ、当該電路の導通及び遮断を切り替える装置である。図１に示されるように、回路遮断器１０は、ハウジング２０と、固定接触子３０と、負荷側端子金具４０と、可動接触子５０と、ハンドル６０と、消弧装置７０と、を備えている。
【００２１】
ハウジング２０は、基台２１と、カバー２２と、を有している。基台２１とカバー２２とが組み立てられることで、内部空間を有するハウジング２０が形成される。ハウジング２０には、固定接触子３０、負荷側端子金具４０、可動接触子５０、ハンドル６０及び消弧装置７０が収容されている。カバー２２は、基台２１に組付けられ、基台２１に設けられた各種部品を外部環境から保護する。
【００２２】
ハウジング２０は、第１壁部２０１と、第２壁部２０２と、第３壁部２０３と、第４壁部２０４と、を有している。第１壁部２０１と第２壁部２０２とは、互いに対向するように配置されている。第３壁部２０３と第４壁部２０４とは、互いに対向するように配置されている。
【００２３】
回路遮断器１０が、分電盤のベース板といった取り付け部分に取り付けられた場合に、第１壁部２０１は電路の電源側に配置され、第２壁部２０２は電路の負荷側に配置され、第４壁部２０４はベース板側に配置される。第３壁部２０３及び第４壁部２０４は、第１壁部２０１と第２壁部２０２とを繋ぐように設けられている。
【００２４】
固定接触子３０は、図２に示されるように、第１側面３０１と、第２側面３０２と、を有している。第１側面３０１と第２側面３０２とは、固定接触子３０の本体部３０３を挟んで反対側に位置するように設けられている。固定接触子３０の一端側には電源側端子座３１が形成され、一端側の第１側面３０１には、螺合入口部３１０が形成されている。固定接触子３０の他端側の第２側面３０２には、固定接点３２が形成されている。
【００２５】
固定接触子３０は、電源側端子座３１が形成された箇所から固定接点３２が形成された箇所にかけて、例えば導電性の板状の金属部材により、一体的かつ同一平面に沿うように形成されている。本実施形態において、固定接触子３０は、例えば基台２１の第４壁部２０４と略平行に延びた形状を有している。なお、「同一平面に沿う」とは、厳密に同一平面上に配置される構成に限られず、同一平面に実質的に沿っていればよく、多少の曲面を含んでいてもよいものとする。
【００２６】
電源側端子座３１は、ハウジング２０の一方に設けられた第１壁部２０１において、ハウジング２０の外部に露出するように配置されている。螺合入口部３１０には、電源側の外部配線（不図示）の圧着端子３３が当接される。電源側の外部配線は、回路遮断器１０の外部の電路を構成する。ねじ３４は、当該圧着端子３３の環状部分を貫通しつつ、螺合入口部３１０から入って、電源側端子座３１に設けられたねじ穴に螺合される。これにより、電源側の外部配線が固定接触子３０と電気的に接続されるとともに、固定接触子３０がハウジングの第４壁部２０４から所定の距離を保って基台２１に固定される。
【００２７】
固定接点３２は、ハウジング２０の内部に設けられている。固定接点３２は、可動接触子５０の一端に設けられた可動接点５１の移動軌道上に設けられている。
【００２８】
負荷側端子金具４０は、電路の負荷側の外部配線（不図示）が接続される負荷側端子座４１を有している。
【００２９】
負荷側端子座４１は、ハウジング２０の第２壁部２０２において、ハウジング２０の外部に露出するように配置されている。図示が省略されているが、負荷側端子座４１においても、電源側端子座３１と同様に、負荷側の外部配線の圧着端子がねじにより固定されることにより、負荷側の外部配線が負荷側端子金具４０と電気的に接続される。
【００３０】
可動接触子５０は、電路を導通及び遮断するためにハウジング２０の内部に設けられている可動部品である。ハンドル６０は、可動接触子５０を操作するためにハウジング２０から突出するように設けられている可動部品である。
【００３１】
可動接触子５０は、ハウジング２０の内部に設けられた配線（不図示）を通じて負荷側端子金具４０に電気的に接続されている。可動接触子５０は、一端に可動接点５１が形成されている。可動接触子５０は、他端を軸としてハンドル６０の手動操作に基づいて揺動する。可動接触子５０が揺動することにより、可動接点５１が固定接点３２に対して接触及び離隔する。
【００３２】
可動接点５１が固定接点３２と接触しているとき、可動接触子５０は、一端から他端にかけて、第４壁部２０４と略平行かつ固定接触子３０の本体部３０３とは反対方向（本実施形態においては、負荷側端子金具４０の方向）に延びるように配置されている。言い換えると、可動接触子５０は、固定接触子３０と略平行に保持される。可動接点５１が固定接点３２から離れているとき、可動接触子５０は、図１に示される遮断位置において保持される。
【００３３】
なお、可動接触子５０が固定接触子３０とは反対方向に配置される場合、固定接触子３０を流れる電流と可動接触子５０を流れる電流の向きが同じとなる。従って、固定接触子を流れる電流と可動接触子を流れる電流の向きが逆向きとなる構成に比べて、固定接触子と可動接触子との間に生じる電磁反発力が弱まるが、回路遮断器の遮断容量が比較的小さい場合には、固定接点３２と可動接点５１が適切に離隔し得る。
【００３４】
ハンドル６０は、ハウジング２０の第３壁部２０３から突出するように設けられている。回路遮断器１０では、ユーザがハンドル６０を操作することにより、電源側端子座３１から負荷側端子座４１に至る電路上に設けられた可動接点５１と固定接点３２との接触及び離隔が切り替えられる。
【００３５】
ハウジング２０の内部には、排気通路が設けられている。排気通路は、可動接点５１が固定接点３２から離れる際に発生するアークガスをハウジング２０の外部に排気するための通路である。ハウジング２０の第１壁部２０１には、当該排気通路が外部に連通する排気口２１０が設けられている。排気口２１０は、第１壁部２０１のうち、固定接触子３０の第２側面３０２の側に設けられている。本実施形態において、排気通路は、固定接触子３０の本体部３０３が延びる方向に沿って、固定接点３２が設けられた箇所から排気口２１０に繋がるように設けられている。言い換えると、電源側の外部配線と排気通路及び排気口２１０とは、固定接触子３０の本体部３０３を挟んで反対側に位置する。
【００３６】
消弧装置７０は、ハウジング２０内において、アークガスの排気通路上に設けられている。消弧装置７０は、複数のグリッドを有しており、アークガスを消弧する。
【００３７】
可動接点５１が固定接点３２に接触している場合、電源側端子座３１と負荷側端子座４１とが導通された状態となる。可動接点５１が固定接点３２から離隔している場合、電源側端子座３１と負荷側端子座４１とが遮断された状態となる。加えて、回路遮断器１０は、電源側端子座３１から負荷側端子座４１に至る電路に過電流が流れた際に、可動接触子５０を揺動させて可動接点５１を固定接点３２から強制的に離隔させる、いわゆるトリップ動作を行うことにより、電源側端子座３１と負荷側端子座４１との電気的な接続を強制的に遮断する機能を有している。
【００３８】
固定接触子３０及び可動接触子５０の構成と、アークガスの排出との関係について説明する。本実施形態に係る固定接触子３０は、上述のとおり、電源側の外部配線が接続される螺合入口部３１０と固定接点３２とが、本体部３０３を挟んで反対側に形成されている。固定接点３２と可動接点５１との間で発生するアークガスは、固定接触子３０の第２側面３０２側に設けられた排気通路に沿ってハウジング２０の外部に排出されるので、アークガスが第１側面３０１側に固定された外部配線側に向かわないようにすることができる。すなわち、螺合入口部３１０と固定接点３２とを反対側に形成することにより、固定接触子３０の形状を単純なものとしつつ、アークガスが外部配線に与える影響を低減することができる。
【００３９】
本実施形態では、固定接点３２と可動接点５１とが接触した状態において、可動接触子５０が、一端から他端にかけて固定接触子３０の本体部３０３とは反対側に延びるように配置されている。可動接点５１が固定接点３２から離れる際に、可動接触子５０は、固定接触子３０の本体部３０３とは反対側に延びた端部である他端を回動中心として回動する。この回動動作によって、可動接触子５０が固定接触子の３０の第２側面３０２の側であって外部配線が固定される側（すなわち、第１壁部２０１の側）に向かって開口するので、第１側面３０１側に繋がる外部配線に与える影響を低減しつつ、アークガスをハウジング２０の外部に排気しやすくなる。
【００４０】
本実施形態では、固定接触子３０の本体部３０３が、螺合入口部３１０から固定接点３２にかけて同一平面に沿うように形成されているので、固定接触子３０を平面的に製造することができる。溶接加工や折り曲げ加工などを要することなく単純な形状により固定接触子３０が製造されるので、これらの加工を要する構成に比べて、製造工程が簡略化され、かつ材料にかかる費用を削減することができる。固定接触子が折り曲げられた構成に比べて、ハウジング２０の小型化を図ることができる。
【００４１】
回路遮断器１０は、当該排気通路及び排気口２１０を備えているので、アークガスを円滑に排出することができる。特に、本実施形態では、アークガスをハウジング２０の外部に排気する際に、固定接触子３０が障壁とならないので、固定接点３２から排気口２１０に至る排気通路を直線状とすることができる。従って、例えばアークガスの排気通路上に障壁があり、排気通路が曲げられた構成に比べて、アークガスの排気効率を向上させることができる。アークガスの排気効率が十分である場合、回路遮断器１０は、例えば消弧装置７０を備えていなくてもよく、その場合ハウジング２０の小型化を図ることができる。
【００４２】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００４３】
例えば、上記実施形態では、固定接触子３０に電源側の外部配線が接続され、負荷側端子金具４０に負荷側の外部配線が接続される例が示されているが、これらの外部配線は互いに入れ替えて接続されてもよい。
【符号の説明】
【００４４】
１０：回路遮断器
２０：ハウジング
２１０：排気口
３０：固定接触子
３０１：第１側面
３０２：第２側面
３０３：本体部
３１０：螺合入口部
３２：固定接点
３４：ねじ
５０：可動接触子
５１：可動接点
【図１】
2020113412.tif 000003
【図２】
2020113412.tif 000004